(57)【要約】本発明は、被測定者のアルコールガスが含有された血液を採取する採集モジュールであって、アルコールガスを吸入する検針ピン（９３）が備えられたアルコール検出センサー（９１）を含む血中アルコール濃度測定器（６０）に結合され、一面に上記測定器（６０）に備えられた検針ピン（９３）が挿入される挿入口（３３）が形成され外周面に血液が流入する血液流入孔（１１）が形成された採集容器（１０）と、該採集容器（１０）の内部に備えられて血液流入孔（１１）を通して流入する被測定者の血液を吸収する吸収部材（２０）と、を含んで構成され、上記吸収部材（２０）に吸収された血液内のアルコールガスが検針ピン（９３）を通してアルコール検出センサー（９１）に流入することを特徴とするアルコール濃度測定用の血液採集モジュールを提供する。【選択図】図２
2013534627.tif 000002
【特許請求の範囲】
【請求項１】
アルコール検出センサー（９１）と検針ピン（９３）を含む血中アルコール濃度測定器（６０）の前記検針ピン（９３）に挿入される挿入口（３３）が一面に形成され外周面には血液が流入する血液流入孔（１１）が形成された採集容器（１０）と、該採集容器（１０）の内部に備えられて血液流入孔（１１）を通して流入する被測定者の血液を吸収する吸収部材（２０）と、を含み、前記吸収部材（２０）に吸収された血液内のアルコールガスが検針ピン（９３）を通してアルコール検出センサー（９１）に流入することを特徴とするアルコール濃度測定用の血液採集モジュール（９２）。
【請求項２】
前記採集容器（１０）には上面を覆う容器カバー（３０）がさらに備えられ、該容器カバー（３０）には前記挿入口（３３）が形成され、該挿入口（３３）は複数個のスリット又は脆弱線が交差する形態となっていることを特徴とする請求項１に記載のアルコール濃度測定用の血液採集モジュール。
【請求項３】
前記容器カバー（３０）には側方に伸びるつまみ（３１）が備えられ、該つまみ（３１）には切り取り部（３２）が形成されることを特徴とする請求項１に記載のアルコール濃度測定用の血液採集モジュール。
【請求項４】
前記採集容器（１０）を収容する外部容器（４０）をさらに含み、前記測定器（６０）に形成された結合溝（８２）に前記外部容器（４０）の外周面が結合されることを特徴とする請求項１又は２に記載のアルコール濃度測定用の血液採集モジュール。
【発明の詳細な説明】
【技術分野】
【０００１】
本発明は、アルコール濃度測定用の血液採集モジュールに関し、より詳細には、自動車事故の当時、血を流した意識不明者の飲酒の有無及び血中アルコール濃度を迅速で容易に測定することができるアルコール濃度測定用の血液採集モジュールに関する。
【背景技術】
【０００２】
通常、警察が飲酒検知器を用いて飲酒運転の有無を検査する場合、運転者に飲酒検知器のマウスピースを通して呼気を吹き込むようにし、呼気中のアルコールの濃度を測定して、これを外部にディスプレイする方式が主に用いられる。そして、たまには、このような飲酒検知器の正確性に異議を申し立てる運転者達に対しては、採血による飲酒測定が行われることもある。
【０００３】
しかしながら、自動車事故が発生して運転者が意識を失った場合は、呼気を吹き込むタイプの飲酒検知器を用いることができない。この場合はやむを得ず採血方式を採択するしかないが、意識のない人の血液を同意なしに採血することは法的手続きが複雑である上、相当の時間と費用がかかるという問題がある。また、採血方式は長時間を要するため、事故当時の運転者の血中アルコール濃度を正確に測定することが困難である。即ち、体内に吸収されたアルコールは０．０１５％／ｈの割合で分解されるため、長時間が経過してから測定されたアルコール濃度数値は信用できない。したがって、事故発生の当時、意識を失った被測定者から血中アルコール濃度を迅速で正確に測定する必要性が高まっている。
【発明の概要】
【発明が解決しようとする課題】
【０００４】
本発明は、前述したような問題点を解決するためのものであり、本発明の目的は、自動車事故により血を流した意識不明者の血中アルコール濃度を適法且つ迅速で容易に測定することができるアルコール濃度測定用の血液採集モジュールを提供することにある。
【課題を解決するための手段】
【０００５】
本発明の一つの特徴によれば、アルコール検出センサー（９１）と検針ピン（９３）を含む血中アルコール濃度測定器（６０）の上記検針ピン（９３）に挿入される挿入口（３３）が一面に形成され外周面には血液が流入する血液流入孔（１１）が形成された採集容器（１０）と、該採集容器（１０）の内部に備えられて血液流入孔（１１）を通して流入する被測定者の血液を吸収する吸収部材（２０）と、を含み、上記吸収部材（２０）に吸収された血液内のアルコールガスが検針ピン（９３）を通してアルコール検出センサー（９１）に流入することを特徴とするアルコール濃度測定用の血液採集モジュール（９２）が提供される。
【０００６】
本発明の他の特徴によれば、上記採集容器（１０）には上面を覆う容器カバー（３０）がさらに備えられ、該容器カバー（３０）には上記挿入口（３３）が形成され、該挿入口（３３）は複数個のスリット又は脆弱線が交差する形態となっていることを特徴とするアルコール濃度測定用の血液採集モジュールが提供される。
【０００７】
本発明のさらに他の特徴によれば、上記採集容器（１０）を収容する外部容器（４０）をさらに含み、上記測定器（６０）に形成された結合溝（８２）に上記外部容器（４０）の外周面が結合されることを特徴とするアルコール濃度測定用の血液採集モジュールが提供される。
【０００８】
本発明のさらに他の特徴によれば、上記容器カバー（３０）には側方に伸びるつまみ（３１）が備えられ、該つまみ（３１）には切り取り部（３２）が形成されることを特徴とするアルコール濃度測定用の血液採集モジュールが提供される。
【発明の効果】
【０００９】
以上のように、本発明によれば、血液を吸収する吸収部材（２０）が内部に備えられ外周面に血液流入孔（１１）が形成された採集容器（１０）を自動車事故により意識を失った運転者が流した血液に接触させて血液を採集することができ、血液を採集した採集容器（１０）を血中アルコール濃度測定器（６０）にすぐに挿入して測定することにより、事故による意識不明者の採血上の困難を解消し、事故現場で迅速にアルコール濃度を測定することができるため、より正確な測定値が得られ、事件の経緯をより迅速で正確に把握することができる。
【００１０】
また、貫通されやすいスリット又は脆弱線が交差する挿入口（３３）が形成された容器カバー（３０）が採集容器（１０）の上面に結合されて血液が外部に漏れることを防止し、且つ測定器（６０）に備えられた検針ピン（９３）が採集容器（１０）の内部に容易に進入するため、測定が容易になる。そして、血液採集時に血液がついた採集容器（１０）を収容する外部容器（４０）をさらに備え、この状態の外部容器（４０）を測定器（６０）に形成された結合溝（８２）に結合することにより、血液によって測定器（６０）等が汚染されることを防止する効果がある。一方、採集容器（１０）又は容器カバー（３０）に切り取り可能なつまみ（３１）を備えることにより、血液採取作業の便宜性が向上し、測定器（６０）に挿入するか外部容器（４０）に挿入して保管するときにつまみ（３１）を切り取って測定器（６０）に挿入することが容易になり、保管時の占有空間を減らすことができるため、保管が容易になる。
【図面の簡単な説明】
【００１１】
【図１】本発明の一実施例が測定器に結合される状態を示す斜視図である。
【図２】上記実施例の分解斜視図である。
【図３】上記実施例の要部斜視図である。
【図４】上記実施例の側断面図である。
【図５】上記実施例の測定器に投入される状態を示す状態図である。
【図６】上記実施例の測定器に投入された状態を示す状態図である。
【発明を実施するための形態】
【００１２】
以下、添付図面を参照しながら、本発明の好ましい実施例について詳細に説明する。本発明の実施例による採集モジュールは、血液からアルコール濃度を測定する測定器（６０）に結合され、このような測定器（６０）は、図１に示されているように、一側面に採集容器（１０）が着脱される結合溝（８２）が形成された第１の胴体（８０）と、第１の胴体（８０）とヒンジ結合され検針ピン（９３）とアルコール検出センサー（９１）が備えられた第２の胴体（９０）と、第１又は第２の胴体（８０、９０）に結合され上記アルコール検出センサー（９１）で検出されたアルコール濃度を表示する表示窓（７１）及び測定のための操作ボタン（７２）が形成された第３の胴体（７０）と、を含む。
【００１３】
第１の胴体（８０）には結合溝（８２）の内部を加熱するヒーター（８３）が内蔵され、結合溝（８２）に結合される採集容器（１０）を３０℃〜４０℃に設定された温度に加熱して体温と同一の条件に置くことにより、血中アルコール濃度をより正確に測定することができる。第２の胴体（９０）には、アルコール検出センサー（９１）のセンサーモジュール（９２）と、このセンサーモジュール（９２）で検出された信号からアルコール濃度を測定する測定モジュール（９４）が備えられる。一方、上記第１の胴体（８０）の 結合溝 (８２）と対応する部位の第２の胴体（９０）には、内側に後退した段差部（９５）が形成される。
【００１４】
本発明の一実施例によるアルコール濃度測定用の血液採集モジュールは、一面に上記測定器（６０）の検針ピン（９３）が挿入される挿入口（３２）が形成され外周面に血液が流入する血液流入孔（１１）が形成された採集容器（１０）と、該採集容器（１０）の内部に備えられて血液流入孔（１１）を通して流入する血液を吸収する吸収部材（２０）と、上記採集容器（１０）が収容され測定器（６０）の結合溝（８２）に装着される外部容器（４０）と、を含んで構成される。
【００１５】
上記採集容器（１０）は、上面が開放された筒状となっている。採集容器（１０）の上端の一側には嵌合溝（１４）が形成され、採集容器（１０）の外周面には周方向に沿って複数個の血液流入孔（１１）が形成される。該血液流入孔（１１）は上下に長い長孔の形態となっているが、その形状に制限はなく、血液が血液流入孔（１１）を通して内部の吸収部材（２０）に容易に吸収されるように構成すれば良い。また、採集容器（１０）の内周面の上部には、複数個の係止溝（１３）が形成される。
【００１６】
採集容器（１０）の上面には切り取り部（３２）が形成されたつまみ（３１）が備えられる容器カバー（３０）が結合され、該つまみ（３１）は採集容器（１０）の嵌合溝（１４）に嵌まる。容器カバー（３０）の周面には採集容器（１０）の係止溝（１３）に係止される複数個の係止突起（３４）が形成され、容器カバー（３０）が採集容器（１０）に固定結合される。また、容器カバー（３０）には、測定器（６０）に備えられた検針ピン（９３）が挿入される挿入口（３３）が形成される。該挿入口（３３）は、多様な形状及び材質を有し、例えば、容器カバー（３０）の上面が貫通されやすい薄板の形態を有することができる。また、挿入口（３３）は、「＋」、「×」などの複数個のスリット又は脆弱線が交差する形態を有し、検針ピン（９３）が挿入口（３３）の交差点である中央部を容易に貫通するようにする。したがって、容器カバー（３０）は、採集された血液が漏れることを防止し且つ検針ピン（９３）が容易に挿入されるようにする。
【００１７】
採集容器（１０）の上部の外周面には、円周方向に沿って複数個の突出された固定突起（１２）が形成される。本実施例では、容器カバー（３０）が採集容器（１０）とは別体に形成されたことを例示しているが、容器カバー（３０）が採集容器（１０）と一体に形成されても良い。
【００１８】
吸収部材（２０）は、スポンジ、綿の布などの血液を迅速に吸収できる素材からなる。さらに、吸収部材（２０）に吸収剤が添加されて血液をより迅速且つ強力に吸収するように構成されることができる。このような吸収部材（２０）は、上記採集容器（１０）の内部に充填される。
【００１９】
一方、採集容器（１０）は外部容器（４０）に収容され、外部容器（４０）の内周面の上部には円周方向に沿って複数個の固定溝（４１）が形成される。したがって、採集容器（１０）が外部容器（４０）に挿入されるとき、採集容器（１０）の固定突起（１２）が外部容器（４０）の固定溝（４１）に挿入されて採集容器（１０）が外部容器（４０）に固定される。これにより、採集容器（１０）で血液を採集するときに採集容器（１０）の外周面についた血液が外部と遮断され、採集容器（１０）が測定器（６０）の結合溝（８２）に挿入されるときに測定器（６０）が汚染されることを防止することができる。
【００２０】
一方、採集容器（１０）は外部容器（４０）に加圧挿入方式により結合することもできるが、採集容器（１０）が加圧されると、採集容器（１０）に採集された血液が押し出される可能性があるため、固定突起（１２）と固定溝（４１）によって結合することが好ましい。また、外部容器（４０）を密閉させるカバー部材（５０）を備え、測定器（６０）によるアルコール濃度測定が完了した後、内部に採集容器（１０）を入れて外部容器（４０）を密閉させることにより、血液の変質を防止し、臭いを遮断することができる。
【００２１】
このように構成された本発明のアルコール濃度測定用の血液採集モジュールによる血液採集及びアルコール濃度測定過程を説明する。外部容器（４０）とカバー部材（５０）を除いた図３の状態で、測定者が容器カバー（３０）のつまみ（３１）をつかんで採集容器（１０）を被測定者の流した血液に接触させると、血液が採集容器（１０）の血液流入孔（１１）を通して採集容器（１０）の内部に流入する。流入した血液は、採集容器（１０）の吸収部材（２０）に吸収される。そして、採集容器（１０）の外周面に血液がつく場合は、測定者や測定器（６０）を汚染させる可能性があるため、採集容器（１０）を外部容器（４０）に入れて容器カバー（３０）のつまみ（３１）を切り取る。
【００２２】
その後、採集容器（１０）が挿入された外部容器（４０）を第１の胴体（８０）の結合溝（８２）に挿入し、第２の胴体（９０）を第１の胴体（８０）の方に回動させると、第２の胴体（９０）の検針ピン（９３）が採集容器（１０）の容器カバー（３０）の挿入口（３３）を貫通して採集容器（１０）の内部に進入する。そうすると、採集容器（１０）内の血液がヒーター（８２）によって加熱されて発生したアルコールガスが検針ピン（９３）を通してアルコール検出センサー（９１）に流入し、測定モジュール（９３）でアルコール濃度が測定され、測定された数値が表示窓（７１）に表示される。
【００２３】
以上のように、本発明によれば、事故現場で意識不明者の同意なしに採血をするにあたっての複雑な手続きが不要となり、採集容器（１０）を用いて意識不明者が流した血液を適法且つ迅速に採集することができる。また、採血した血液のアルコール濃度を測定器を用いてすぐに測定することができるため、時間の遅延による誤差を減らし、正確なアルコール濃度を測定することができる。一方、本実施例で説明された測定器（６０）は一つの例示に過ぎず、採集容器（１０）に挿入される検針ピン（９３）が備えられた多様な形態の測定器（６０）を用いることもできる。
【図１】
2013534627.tif 000003
【図２】
2013534627.tif 000004
【図３】
2013534627.tif 000005
【図４】
2013534627.tif 000006
【図５】
2013534627.tif 000007
【図６】
2013534627.tif 000008
【国際調査報告】
2013534627.tif 000009
2013534627.tif 000010
2013534627.tif 000011
2013534627.tif 000012